(57)【要約】 【課題】入賞口とともに小入賞口を設けても、構造の簡単なパチンコ機の入賞装置とする。【解決手段】パチンコ盤に取付ける取付ベース１に入賞口１０を開口する。入賞口１０を開閉する開閉扉４を横軸周りに回動可能に設ける。取付ベース１の前面には、前面カバー２を設ける。開閉扉４に閉状態においても入賞可能に開口する小入賞口４４を設ける。小入賞口４４から入賞したパチンコ球は、取付ベース１の背面側に流れ込み、そして、底板３４上を流下して通過口３５からカウンタ７を通過して下方に流下する。開閉扉４が開状態となり入賞口１０から入賞したパチンコ球も、底板３４上を流下して通過口３５からカウンタ７を通過して下方に流下し、開閉扉４が開閉いずれの状態にあっても、入賞したパチンコ球は同じ流出経路を通過して排出される。【選択図】  図３
2006087479.tif 000002
【特許請求の範囲】
【請求項１】
パチンコ盤に取付けられる取付ベースに入賞口を形成し、該入賞口を開閉する開閉扉を横軸周りに回動可能に設けたパチンコ機の入賞装置において、
前記取付ベースの前面には、前面カバーが設けられるとともに、前記開閉扉には、閉状態においても入賞可能に開口する小入賞口が設けられていることを特徴とするパチンコ機の入賞装置。
【請求項２】
前面カバーには、小入賞口内にパチンコ球を誘導する球受片が設けられていることを特徴とする請求項１記載のパチンコ機の入賞装置。
【発明の詳細な説明】
【技術分野】
【０００１】
この発明は、パチンコ盤に取付けられる取付ベースに入賞口を形成し、入賞口を開閉する開閉扉を横軸周りに回動可能に設けたパチンコ機の入賞装置に関する。
【背景技術】
【０００２】
従来からパチンコ機の遊戯面に取付ベースを取付け、その取付ベースの中央に開口する入賞口に開閉する開閉扉を設けたパチンコ機の入賞装置は、知られている。
【０００３】
例えば特許文献１には、入賞口内の上部左右で球受板を回動可能に軸着して、内側に回動した際には、この球受板がパチンコ球を受けて、入賞口内に誘導する入賞装置を開示している。
【０００４】
特許文献２には、入賞口内の下部左右で球受板を回動可能に軸着して、起立すると入賞口を閉鎖してパチンコ球の入賞を防ぎ、また外側に回動して、球受板がパチンコ球を受け、入賞口内に誘導するようにしている。そして、この入賞口の左右に小入賞口を別個設けた入賞装置を開示している。
【０００５】
また、特許文献３には、入賞口内の上部左右で球受け板を回動可能に軸着して、球受板が起立して入賞口を覆ってパチンコ球の入賞を防ぎ、また、外側に回動した際には、この球受板がパチンコ球を受けて、入賞口内に誘導している。そして、入賞口の上部には、予め決められている条件で開閉する上小入賞口を設けた入賞装置を開示している。なお、この入賞口の左右にも、左右小入賞口を別個設けている。
【０００６】
【特許文献１】特開平０５−３０９１６１号公報
【特許文献２】特開平１１−１５６０１０号公報
【特許文献３】特開２００１−１７８９００号公報
【発明の開示】
【発明が解決しようとする課題】
【０００７】
しかしながら、特許文献１に示された入賞装置では、入賞口が開閉するに止まっている。また、入賞口とともに小入賞口を設けた特許文献２や特許文献３に示された入賞装置では、これらの小入賞口はいずれも入賞口とは別個独立に設けられていて、その開閉動作も、また入賞したパチンコ機の流路も別個に形成されている。このため、入賞装置の構造が複雑になるとともに、機裏の構造も複雑になっている。
そこで、この発明では、入賞口とともに小入賞口を設けても、構造が簡単なパチンコ機の入賞装置とすることを目的としている。
【課題を解決するための手段】
【０００８】
そこで、請求項１の発明では、パチンコ盤に取付けられる取付ベースに入賞口を形成し、入賞口を開閉する開閉扉を横軸周りに回動可能に設けたパチンコ機の入賞装置において、取付ベースの前面には、前面カバーが設けられるとともに、開閉扉には、閉状態においても入賞可能に開口する小入賞口が設けられている。そして、開閉扉が開閉いずれの状態にあっても、この入賞装置に入賞したパチンコ球は、同じ流出経路を通過して排出される。
【発明の効果】
【０００９】
請求項１の発明では、パチンコ盤に取付けられる取付ベースに入賞口を形成し、入賞口を開閉する開閉扉を横軸周りに回動可能に設けたパチンコ機の入賞装置において、取付ベースの前面には、前面カバーが設けられるとともに、開閉扉には、閉状態においても入賞可能に開口する小入賞口が設けられているために、開閉扉が開閉いずれの状態にあっても、この入賞装置に入賞したパチンコ球は、同じ流出経路を通過して排出される。
【発明を実施するための最良の形態】
【００１０】
パチンコ球の入賞装置の構造を簡単にするという目的を、開閉扉に小入賞口を設けて、入賞したパチンコ球が、開閉扉が開放・閉鎖のいずれの状態にあるときも同じ経路を流下していく構造にすることによって実現した。
以下、この発明の実施例を図面を参照して詳細に説明する。
【実施例】
【００１１】
図１に示すように、一般にパチンコ機の盤面には、図示を省略した板材に発射装置により発射されたパチンコ球をガイドするガイドレールａが環状に設けられ、この環状に囲まれた盤面の中央にアタッカーと称せられる普通電動役物ｂ、この下方に特別図柄入賞装置ｃなどが配置されている。そして中央には液晶表示部ｄが設けられて、普通電動役物ｂにパチンコ球が入賞すると、液晶表示部ｄに表示される図柄が所定時間変動するようになっている。そして液晶表示部ｄに表示される図柄が特定の、いわゆる大当たり状態になると特別図柄入賞装置ｃが駆動する構成とされている。
【００１２】
この実施例では、普通電動役物ｂとして使用された場合について説明する。入賞装置は、図２，図３に示すように、遊戯盤面に取付けられる取付ベース１には、前面カバー２が前面に、また、背面側に裏箱３が取付けられている。そして、取付ベース１の中央には、横長長方形の入賞口１０が開口しており、この入賞口１０を開閉可能に開閉扉４が設けられている。
【００１３】
取付ベース１の左右には、ベース孔１１が形成され、図示しないパチンコ盤面に取付け可能とされている。取付ベース１の中央上部には、小入賞口枠１２が取付ベース１の上部で前方に突出して枠状に形成されている。また、入賞口１０の左右下部に対応する取付ベース１の前面には、後述する開閉扉４の開閉ピン４０を収容する取付溝１４が形成されている。また、取付ベース１の背面には、後方に突出して取付枠１５が設けられている。
【００１４】
開閉扉４は、ピン孔４１が形成されていて、開閉ピン４０のそれぞれ外側に突出して挿入されている。この突出した部位が取付ベース１の取付溝１４に収容されて開閉扉４を取付ベース１に開閉可能に取付けられている。開閉扉４の背面の一端（図３において左端）には、作動突起４２が背面に突出して形成され、その下部には後述する作動杆６２の先端が挿入される杆挿入凹部４３が形成されている（図８、図９参照）。この杆挿入凹部４３に挿入された作動杆６２が上下動すると、開閉扉４は開閉ピン４０を回転中心にして回動して、起立した姿勢で入賞口１０を閉じる閉鎖状態と、前方に傾倒して入賞口１０を開口する開放状態のいずれかに保持される。
【００１５】
また、開閉扉４の中央には、小入賞口枠１２の下部位置に対応して、小入賞口４４が開口されている。小入賞口４４の両側に区画突起４５が設けられて、開閉扉４が閉鎖状態であっても小入賞枠１２を通過したパチンコ球のみがこの小入賞口４４を通過可能とされている。
【００１６】
前面カバー２には、図３に示すようにカバー本体２０の両袖から後方に延びる取付片２１が形成されている。取付片２１は、その先端にねじ孔が形成されていて、取付ベース１に形成した取付孔１３の部位に当接した上で、裏箱３の背面から図示しない取付ねじにより取付ベース１に取付けられている。これにより、取付ベース１との間に間隔を保持して固定されている。また、前面カバー２の下端中央の背面には、取付ベース１側に傾斜して、パチンコ球を小入賞口４４へ誘導する三条の球受片２２が突出形成され、また、両側の球受片２２の外側にガイド片２３が立設されている。これにより小入賞口枠１２から落下してくるパチンコ球は球受片２２により受け止められて、開閉扉４の小入賞口４４を通過し、入賞口１０から取付ベース１の背面側に流入するようにされている。
【００１７】
裏箱３は、箱板３０と、背面板３１によって箱板３０に取付けられる駆動ソレノイド５と、駆動ソレノイド５の動きを開閉板に伝達する回転板６により形成されている。
【００１８】
箱板３０には、その上縁に沿って取付縁３２が横方向に突出して形成されていて、この取付縁３２の前端を取付枠１５の背面に密着した状態で、箱板３０の上部両側に形成された箱板取付孔３３の背面から図示しない取付ねじにより前面カバー２とともに取付ベース１にねじ止めされている。また、箱板３０の下端縁には、横向きに底板３４が前面へ突出している。
【００１９】
この底板３４は、図３において、パチンコ球が右側へ誘導される傾斜面とされ、入賞口１０から流入したパチンコ球が右側へ転動するようにされている。そして、箱板３０の右端に通過孔３５が形成されていて、底板３４上に流れ込んだパチンコ球は、通過口３５から箱板３０の背面へ流下していく。そして、箱板３０の背面に設けられている近接スイッチ７により、流下するパチンコ球の球数が検出される（図６参照）。
【００２０】
裏箱３の背面には、駆動ソレノイド５を固定する背面板３１が図示しない固定ねじによって固定されている。なお、駆動ソレノイド５は図示しない制御装置からの励磁信号によって励磁駆動し、駆動ソレノイド５内に図示しない圧縮バネを介してプランジャ５０の基端が外側に突出した状態で配設されている。これにより、駆動ソレノイドが消磁している際には、プランジャ５０は押し出された状態に配置され、また励磁すると、プランジャ５０がコイルスプリングの付勢力に抗して駆動ソレノイド５内に引き寄せられた状態に配置される。
【００２１】
回転板６は、図３または図６に示すように、その一側臥は箱板３０に開口された軸孔３６に固定された回転軸６０により回転可能に取付けられている。そして、図７に示すように、プランジャ５０の基端に設けられたフランジ部５１が回転板６に設けられた係合突起６１に係合して、プランジャ５０の進退に応じて回転板６が回転可能とされている。
【００２２】
また、回転板６には、回転軸６０から偏心した他端に作動杆６２が突出して形成されている。この作動杆６２の先端は、箱板３０に設けられた作動杆３７を通じて前述した開閉扉４に設けられている杆挿入凹部４３内に挿入されている。これにより、この杆挿入凹部４３に挿入された作動杆６２が上下動すると、開閉扉４は開閉ピン４０を回転中心として回動して、起立した姿勢で入賞口１０を閉じる閉鎖状態と、前方に傾倒して入賞口１０を開口する開放状態のいずれかに保持される。
【００２３】
次に、この実施例をいわゆるアタッカーと呼ばれている入賞装置としてパチンコ機の盤面に取付けられて、図示しない制御装置により制御される場合の作用について説明する。
【００２４】
パチンコ遊戯中に、駆動ソレノイド５が消磁状態にある際には、図示しない圧縮バネによりプランジャ５０が押し出された状態に配置される。これにより、杆挿入凹部４３内に挿入されている回転板６の作動突起６２が開閉扉４を起立した閉位置に保持して、図４，図５の状態とされる。小入賞口枠１２にパチンコ球が入賞すると、そのパチンコ球は、前面板２に設けられた球受片２２に受け止められて小入賞口４４から取付ベース１の背面側に流れ込み、そして、底板３４上を流下して通過口３５からカウンタ７を通過して下方に流下していく。このカウンタ７によりパチンコ球が検出されると、図示しない制御装置にその通過信号が伝達される。
【００２５】
図示しない制御装置による駆動信号により駆動ソレノイド５が励磁すると、プランジャ５０がコイルスプリングの付勢力に抗して内に引き寄せられる。これにより、フランジ部５１に係合している回転板６が回転軸６０を中心として回転し、作動杆６２によって開閉扉４が前方に傾倒して開放状態に保持される。これにより、傾倒している開閉扉４上に落下するパチンコ球は入賞口１０から取付ベース１の背面側に流入する。そして、底板３４上から通過口３５を通ってカウンタ７により通過球がカウントされ、下方に流下していく。
【００２６】
このように、開閉扉４が開放・閉鎖のいずれの状態にあるときも、入賞したパチンコ球は、ともに底板３４上を流下して通過口３５からカウンタ７を通過して下方に流下するため、従来の入賞装置のように開放・閉鎖状態のそれぞれに流下構造を設ける必要が無く、構造の簡単な入賞装置とすることができる。
【００２７】
図１０は本入賞装置を、特別図柄入賞装置ｃに適用した実施例を示し、普通電動役物ｂにパチンコ球が入賞して、液晶表示部ｄに表示される図柄が所定時間変動し、いわゆる大当たり状態になると、図示しない制御装置により制御が行われる構成とされている。
【図面の簡単な説明】
【００２８】
【図１】パチンコ盤面の概略図
【図２】斜視図
【図３】分離斜視図
【図４】中央縦断面図
【図５】図６Ａ−Ａ線断面図
【図６】横断面図
【図７】背面図
【図８】開閉扉を開いた状態の中央縦断面図
【図９】開閉扉を開いた状態で示す図６Ａ−Ａ線断面図
【図１０】他の実施例のパチンコ盤面の概略図
【符号の説明】
【００２９】
１…取付ベース
２…前面カバー
３…裏箱
４…開閉扉
１０…入賞口
１２…小入賞口枠
２２…球受片
３４…底板
４４…小入賞口
【図１】
2006087479.tif 000003
【図２】
2006087479.tif 000004
【図３】
2006087479.tif 000005
【図４】
2006087479.tif 000006
【図５】
2006087479.tif 000007
【図６】
2006087479.tif 000008
【図７】
2006087479.tif 000009
【図８】
2006087479.tif 000010
【図９】
2006087479.tif 000011
【図１０】
2006087479.tif 000012